(57)【要約】      （修正有） 【課題】クリアーホルダーの開口部を一見して認識できると共に収納する書類の挿入と取り出しを容易にするクリアーホルダーを提供する。【解決手段】薄手フィルム地からなるクリアーホルダーの少なくとも任意の一辺に開口を有し、該開口部の周縁近傍に開口部であることを明示する印、例えば帯状ラベルや印刷部を有すると共に、底部方向の薄手フィルム地に孔を有する。底部方向の孔によってクリアーホルダー内への書類の差し入れに際してホルダー内の不要な空気を外部に排出できると共にホルダー内の書類を引き出す際にはホルダー内へ空気を入れることによって書類引き出しを容易にすることができる。【選択図】図２
0003148083.tif 000002
【実用新案登録請求の範囲】
【請求項１】
薄手フィルム地からなるクリアーホルダーであって、少なくとも任意の一辺に開口部１２を有し、
該開口部１２の周縁近傍に開口部であることを明示する印２を有することを特徴とするクリアーホルダー。
【請求項２】
印２が少なくともクリアーホルダーを構成する薄手フィルム地に着色を施したものであることを特徴とする請求項１に記載のクリアーホルダー。
【請求項３】
薄手フィルム地からなるクリアーホルダーであって、少なくとも任意の一辺に開口部１２を有し、
該開口部１２の周縁近傍に開口部であることを明示する帯状ラベル或いは帯状シート、帯状シールの少なくともいずれかを有することを特徴とするクリアーホルダー。
【請求項４】
帯状ラベル或いは帯状シート、帯状シールに着色を施したものであることを特徴とする請求項３記載のクリアーホルダー。
【請求項５】
薄手フィルム地からなるクリアーホルダーであって、少なくとも任意の一辺に開口部１２を有し、
該開口部１２の周縁近傍に開口部であることを明示する印刷部を有することを特徴とするクリアーホルダー。
【請求項６】
印刷部が帯状の印刷部であることを特徴とする請求項５記載のクリアーホルダー。
【請求項７】
印刷部に着色を施したものであることを特徴とする請求項５又は６のいずれかに記載のクリアーホルダー。
【請求項８】
薄手フィルム地からなるクリアーホルダーであって、底部方向のクリアーホルダーを構成する薄手フィルム地に孔を有することを特徴とする請求項１乃至７のいずれかに記載のクリアーホルダー。
【請求項９】
孔がクリアーホルダーの薄手フィルム地からなる表裏フィルムのそれぞれを貫通する孔３であることを特徴とする請求項１乃至８のいずれかに記載のクリアーホルダー。
【請求項１０】
薄手フィルム地からなるクリアーホルダーを構成するいずれか一のフィルムの開口辺部の中央部に凹み部１３を有することを特徴とする請求項１乃至９のいずれかに記載のクリアーホルダー。
【請求項１１】
薄手フィルム地に代えて厚手フィルム地でクリアーホルダーを構成したことを特徴とする請求項１乃至１０のいずれかに記載のクリアーホルダー。
【考案の詳細な説明】
【技術分野】
【０００１】
本考案は、書類等を保管するためのクリアーホルダーであり、より詳しくは略四角形状のクリアーホルダーからなると共に三方が封鎖されて一方に開口を有するクリアーホルダーであって、書類をホルダー内に収納し易くすると共に開口部を一見して把握可能なクリアーホルダーに関する。
【背景技術】
【０００２】
従来より、クリアーホルダーは書類を収納することに用いられるものであり、透明なホルダー内に収納することによって書類を保管するために用いられるものである。
係る場合、略四角形状の書類を収納するために同様にホルダーの形態も四角形状の形態を有するものであり、更に該ホルダーの２辺を封鎖して他の２辺が開放状態のホルダーを用いるもの例えば実登３１００７８５号（特許文献１）の他、例えば三方を封鎖して一方の未開放状態とした略袋状のクリアーホルダーからなる例えば特開２０００−１５８８６３号（特許文献２）も多用されている。
【特許文献１】実登３１００７８５号
【特許文献２】特開２０００−１５８８６３号
【考案の開示】
【考案が解決しようとする課題】
【０００３】
以上の様に、クリアーホルダーは略四角の長方形状の２辺が開放されているものの他、例えば１方のみが開放されて開口部を形成する袋状の構成からなるものがあり、このような袋状のクリアーホルダーに書類を挿入するときっちりとホルダー内部に納まるものであり、不用意に抜け落ちることがなく且つ又両面からの視認性を確保できるものであり、きわめて使い勝手の良いものである。
【０００４】
しかし、このように構成した場合には略四角形状の一方のみ開放部である開口から書類を 挿入しなければならないという条件を満たすことが必要となる。
したがって通常樹脂製の薄シート地からなるクリアーホルダーはどうしてもそのシート地同士が密着してしまうものとなり、開口部から挿入する場合にどうしても入れにくいという先天的な欠点を有するものである。
【０００５】
更にクリアーホルダーは収納した書類等の視認性を高めるために透明のシート地よりなるものであり、一見するとどちらの方向に開口部を有するか全くわかりづらいという欠点を 有していたものである。
従って、極めて使い勝手のよいクリアーホルダーは、どの辺部分が開口部を構成しているか一見して明確となると共に、この判明した開口部から書類を挿入する際に書類を該開口部からホルダー内に簡単に収納できる何らかの構成が望まれているものである。
【課題を解決するための手段】
【０００６】
以上のように係る課題を見事に解決するため、前記課題を解決するクリアーホルダーの提供を課題とするものである。
係るため請求項１に係る考案は、薄手フィルム地からなるクリアーホルダーであって、少なくとも任意の一辺に開口部を有し、該開口部の周縁近傍に開口部であることを明示する印を有するクリアーホルダーからなり、係る考案によって前記課題を解決できる。
【０００７】
この場合、請求項２に係る考案のように印が少なくともクリアーホルダーを構成する薄手フィルム地に着色を施したクリアーホルダーであってもよい。
或いは、請求項３に係る考案のように薄手フィルム地からなるクリアーホルダーであって、少なくとも任意の一辺に開口部を有し、該開口部の周縁近傍に開口部であることを明示する帯状ラベル或いは帯状シート、帯状シールの少なくともいずれかを有するクリアーホルダーでもよく、更にこの場合、請求項４に係る考案のように帯状ラベル或いは帯状シート、帯状シールに着色を施したものであるクリアーホルダーを用いてもよい。
【０００８】
更に、請求項５に係る考案のように薄手フィルム地からなるクリアーホルダーであって、少なくとも任意の一辺に開口部を有し、該開口部の周縁近傍に開口部であることを明示する印刷部を有するクリアーホルダーでもよく、或いは請求項６に係る考案のように帯状の印刷部を用いたものでも、請求項７に係る考案のように印刷部に着色を施したものでもよい。
これらの場合、請求項８に係る考案のように薄手フィルム地からなるクリアーホルダーであって、底部方向のクリアーホルダーを構成する薄手フィルム地に孔を有するクリアーホルダーを用いることによって、更にきわめて使い勝手の良い前記課題を解決する考案を提供できるものである。
【０００９】
更に、請求項９に係る考案のように、孔がクリアーホルダーの薄手フィルム地からなる表裏フィルムのそれぞれを貫通する孔であってもよい。
或いは請求項１０に係る考案のように薄手フィルム地からなるクリアーホルダーを構成するいずれか一のフィルムの開口辺部の中央部に凹み部を有するクリアーホルダーを用いるものであってもよい。
これらの場合、薄手フィルム地と明示したが、この他請求項１１に係る考案のように薄手フィルム地に代えて厚手フィルム地でクリアーホルダーを構成するものであってもよい。
【考案の効果】
【００１０】
以上のように構成することによって、先ず請求項１に係る考案により、該開口部の周縁近傍に印を有するものであり、一見して開口の位置が判明するものとなる。
又、請求項２に係る考案によって、該印がより見易いものとなる。
又、請求項３に係る考案によって、開口部の存在を帯状ラベル或いは帯状シート、帯状シールによって一見して把握できるものであり、更にこれ等の部材を用いることによって簡単かつ確実に又低廉にて形成できるものである。
【００１１】
この場合請求項４に係る考案によれば該ラベル等は視認性を高められ一見して容易に判明できるものである。
更に、請求項５に係る考案によればフィルム地に印刷によって印刷部を簡単に形成できるものであり、開口部の位置も簡単に判明できるものである。
特に印刷によれば、成形上極めて簡単かつ低廉にて製造できるものとなり、極めて実用性の高いクリアーホルダーの提供ができる。
【００１２】
更に請求項６に係る考案によれば、帯状の印刷部となり視認性の高い印刷部の提供を可能とすると共に請求項７に係る考案によれば着色により更に該印刷の存在を視認しやすくできることとなる。
請求項８に係る考案によれば、底部方向の孔によってクリアーホルダー内への書類の差し入れに際してホルダー内の不要な空気を外部に排出できると共にホルダー内の書類を引き出す際にはホルダー内へ空気を入れることによって書類引き出しを容易にすることができる。
【００１３】
請求項９に係る考案によれば、貫通孔よりなり、空気の排出・吸入の効率を高められるものである。
請求項１０に係る考案によれば、凹み部を有するものであり、開口部の開口の便宜が図れると共に書類の差し入れ、引き出しの便宜が図れるものである。
請求項１１に係る考案によれば、薄手フィルムに限らず厚手フィルムにも用いることができることとなり、より使い勝手の良いホルダーの提供範囲の拡大が可能となる。
【考案を実施するための最良の形態】
【００１４】
図１は、本考案に係るクリアーホルダーの一例を示す図である。
本図に示すクリアーホルダー１は、樹脂製で表裏２枚の薄手フィルム地１０、１１からなる略長方形状の袋体であって、任意の一辺において開口を有するものである。
該開口からクリアーホルダー１内に書類を挿入するものである。
【００１５】
該クリアーホルダー１の開口部１２の奥側即ち裏側のフィルム１１の袋体内部方向に開口部であることを明示する印２を有しているものであり、該印として本図においては帯状ラベル２１が貼着しているものである。
これによって一見して開口部１２の位置を把握できるものである。
又、本図における帯状ラベル２１は袋体内面部に貼着しているが、これによってクリアーホルダーの袋体のフィルム同士の静電気等による密着して剥がれにくくなること等をも防止できるものである。
【００１６】
更に、フィルムの内部表面に貼着するものに限らず、例えば該表面に印２である例えば帯状ラベル２１を貼着するものであってもよい。
又、接着部材等による貼着のほか、熱可塑性のフィルム地やシート地或いは帯状シールなどを熱溶着させるものであってもよい。
更に印２として開口位置がわかるように色彩等を有するものや開口であることを示す表示を入れたものなどであってもよい。
【００１７】
特に色彩を有する印刷をフィルム面に施すことによって印刷部を構成し、これを印２とするものであってもよく、成形上印刷により印刷部を構成するものであることが最も適しているものである。
例えば帯状の印刷部を印刷することによってきわめて容易にフィルム面に形成できるばかりでなく、一見して印刷部を視認できることとなる。
この場合には色彩を有する印刷や凹凸面を形成する印刷等を施すものであってももちろんよい。
例えば赤色等の色彩を有する印刷を施すことによって十分に視認可能となる。
【００１８】
尚、本図におけるクリアーホルダーの開口部１２は奥側即ち裏面側のフィルム１１がやや長尺に形成されているものであり、手前側のフィルム１０が一段下がった位置に開口辺を有するものである。
このように構成することによって、袋体の開口の容易化が図れるものである。
又、該手前側の表面のフィルム１０の開口辺部の中央部には凹み部１３を有しており、開口の容易化や封入した書類の取り出しの容易化などが図れるものである。
【００１９】
次に該クリアーホルダー１の底部にはクリアーホルダーの表裏面を貫通する孔３を有しているものである。
該貫通する孔３によってクリアーホルダー１内の空気が外部に排出されるものであり、特にクリアーホルダー１内の書類を挿入するに際し、該孔３から開口部１２を広げて書類を差し入れる際のホルダー１内部に空気を効率よく流入することができ、開口の便宜が図れると共にさらに書類を挿入することに伴う内部空気の排出をも可能とするものであって、書類のホルダー内への挿入の容易化が図れるものとなる。
【００２０】
図２は、図１に示すクリアーホルダー１の開口部１２を広げた状態の一例を示す図である。
該クリアーホルダー１の開口部１２に設けた印２によって一見して開口部の位置を把握できると共に容易に開口できるものである。
又該クリアーホルダー１の底部方向には孔３を有しているものである。
尚、この高の大きさ・形状・個数及び位置に関しては夫々任意に設定するものでよく、少なくとも書類を挿入するに際して不要な空気を外部に排出するためのも孔３を有していればよい。
【００２１】
したがって、円形でなくとも角形状でも或いは特殊形状でも、或いは空気抜き用の細かい孔を多数有する構成でもよい。
又、個数も任意の個数有すればよいものである。
尚、設置位置は少なくとも底部方向に設けることが望ましいものである。
これによって底部まで挿入予定の書類の底部方向までの挿入の容易化が図れるものである。
更に、本図に示す孔はクリアーホルダー１の表裏フィルム１０、１１それぞれを貫通する孔３として明示するが、これに限らず一のフィルムにのみ孔３を設けたものであってももちろんよい。
【００２２】
図３は、底部方向の孔３を２箇所に設けた一例であって、一のフィルム１０にのみ孔３を設けた例を示す図である。
本図構成のおいても書類挿入時のホルダー内の空気の流入及び排出を効率よくおこなえるものである。
図４は、底部方向に孔３を有すると共に、側部にも二箇所孔を有し、計三箇所に孔を有する一例を示すものである。
この孔は貫通孔であり、側部の孔はファイルへの閉じ込み用の孔としても用いることができる。
この場合該クリアーホルダー１の開口部には印２が設けられているものであって、帯状ラベル２１が溶着しているものである。
【００２３】
このように構成するものであっても一見して開口部を簡単に認識でき、例えば帯状フィルム２１によって開口部１３の開口の容易化ができるものである。
更に孔３からホルダー内部の空気の流入排出を図れるものである。
本考案においては特に底部に設けた孔３が最も適切であるが、前記の通り側部に設けた孔であってもよいものである。
【００２４】
図５は、本考案に係るクリアーホルダー１内に書類４を入れた一例を示す図であり、底部の孔３から空気の流入及び排出が可能であって書類４のホルダー１内への挿入及び取り出しの便宜が図れるものである。
更に該書類４とホルダー１の大きささが一致する場合には、例えば本図のように印２部分が隠れるものであり、使用上の問題は全くないものである。  
仮に書類以上の大きさの規格のホルダー等を用いた場合にあっても、この印２部分は開口部を示すものであり、ホルダー１の天地方向を明確にすることができ、天地逆さになる等の書類４のホルダー１からの抜け落ち状態を未然に防止できるものである。
尚、本考案に関し、説明上薄手フィルム地を用いたクリアーホルダーとして説明したが、これは一般に多用させているクリアーホルダーが薄手フィルム地を用いているものであることを前提としたものである。
【００２５】
従って硬質、軟質を問わず薄手フィルム地を用いたクリアーホルダーを前提として説明しているものである。
しかし、本考案に関しては薄手フィルム地のみならず厚手のフィルム地を用いるものであってもよく、いずれのフィルム地をも含むものである。
例えば軟質の厚手フィルム地を 用いた特殊なクリアーホルダーであっても、或いは厚手で硬質な特殊なクリアーホルダーに用いるものであってもいずれでもよい。
【図面の簡単な説明】
【００２６】
【図１】本考案に係るクリアーホルダーの一例を示す図
【図２】本考案に係るクリアーホルダーの一例を示す図
【図３】本考案に係るクリアーホルダーの他の一例を示す図
【図４】本考案に係るクリアーホルダーの他の一例を示す図
【図５】本考案に係るクリアーホルダーに書類を入れた一例を示す図
【符号の説明】
【００２７】
１    クリアーホルダー
１０    表側フィルム
１１    裏側フィルム
１２    開口部
１３    凹み部
２    印
２１    帯状ラベル
３    孔
４    書類
【図１】
0003148083.tif 000003
【図２】
0003148083.tif 000004
【図３】
0003148083.tif 000005
【図４】
0003148083.tif 000006
【図５】
0003148083.tif 000007